(57)【要約】【課題】低電力消耗演算処理構造を有する無線慣性入力装置を提供する。【解決手段】低電力消耗演算処理構造を有する無線慣性入力装置は、慣性センサー部により慣性センサー信号を発信し、演算処理部により前記慣性センサー信号を演算処理し反応信号を発信し電子装置を運用し、前記無線慣性入力装置の特徴は、前記慣性センサー部は前記無線慣性入力装置に設置すると共に無線通信方式により前記演算処理部と通信すること、前記演算処理部は前記電子装置と電気的に接続すると共に前記慣性センサー部と分離することである。消耗率の高い演算処理部と前記無線慣性入力装置を分離し、無線通信技術の補助を通して前記演算処理部に前記慣性センサー部が発信する慣性センサー信号を受信させ演算処理を実行する構造により、前記無線慣性入力装置の電力消耗を減少し、前記無線慣性入力装置内の電池寿命を延長する。【選択図】  図３
2007164762.tif 000002
【特許請求の範囲】
【請求項１】
慣性センサー部を有し、前記慣性センサー部は、慣性センサーユニットおよび高周波伝送制御ユニットを含み、
前記慣性センサーユニットは慣性センサー入力装置の運動状態をセンサーし慣性センサー信号を発信し、
前記高周波伝送制御ユニットは前記慣性センサーユニットと電気信号的に接続し、前記高周波伝送制御ユニットは前記慣性センサー信号を受信し無線信号を発信することを特徴とする無線慣性入力装置。
【請求項２】
前記高周波伝送制御ユニットは更に、高周波伝送器および暗号制御ユニットを含んでなり、
前記高周波伝送器は高周波アンテナを接続してなり、
前記暗号制御ユニットは、前記伝送器と接続し、前記暗号制御ユニットは前記慣性センサー信号を受信し、暗号化を実行し前記高周波伝送器を制御し無線伝送を実行することを特徴とする請求項１記載の無線慣性入力装置。
【請求項３】
前記慣性センサーユニットは更に、少なくとも１つの慣性センサー器を含んでなることを特徴とする請求項１記載の無線慣性入力装置。
【請求項４】
前記慣性センサー器は単軸加速度計、多軸加速度計およびジャイロスコープのいずれか１つであることができることを特徴とする請求項３記載の無線慣性入力装置。
【請求項５】
慣性センサー部により慣性センサー信号を発生し、その後演算処理部により演算処理を実行し反応信号を発生し電子装置を運用し、前記無線慣性入力装置は前記慣性センサー部は前記無線慣性入力装置に設置すると共に無線通信方式により前記演算処理部と通信すること、及び、前記演算処理部は前記電子装置と電気的に接続すると共に前記慣性センサー部と分離することを特徴とする無線慣性入力装置。
【請求項６】
慣性センサー部を有し、該慣性センサー部は、慣性センサーユニット、第一インターフェイス制御ユニット、高周波伝送制御ユニットおよび演算処理部を含み、
前記慣性センサーユニットは前記無線慣性入力装置の運動状態をセンサーし、慣性センサー信号を発信し、
前記第一インターフェイス制御ユニットはユーザーが前記無線慣性入力装置を操作する動作を受信しインターフェイス制御信号を発信し、
前記高周波伝送制御ユニットは、前記第一インターフェイス制御ユニットおよび前記慣性センサーユニットと電気的に接続し、前記高周波伝送制御ユニットは前記慣性センサー信号および前記インターフェイス制御信号を受信し無線信号を発信し、
前記演算処理部は電子装置を電気信号的に接続すると共に前記無線信号を受信し復号化を実行し、反応信号を発信し前記電子装置を運用することができることを特徴とする無線慣性入力装置。
【請求項７】
前記高周波伝送制御ユニットは更に、高周波伝送器および暗号制御ユニットを含んでなり、
前記高周波伝送器は高周波アンテナを接続してなり、
前記暗号制御ユニットは前記高周波伝送器と接続し、前記暗号制御ユニットは前記慣性センサー信号を受信し、暗号化を実行し前記高周波伝送器を制御し無線伝送を実行することを特徴とする請求項６記載の無線慣性入力装置。
【請求項８】
前記慣性センサーユニットは更に慣性センサー器を含んでなることを特徴とする請求項６記載の無線慣性入力装置。
【請求項９】
前記慣性センサー器は単軸加速度計、多軸加速度計およびジャイロスコープのいずれか１つであることができることを特徴とする請求項８記載の無線慣性入力装置。
【請求項１０】
前記演算処理部は更に、無線受信ユニット、マイクロプロセッサーユニットおよび第二インターフェイス制御ユニットを有し、
前記無線受信ユニットは前記無線信号を受信し、前記慣性センサー信号および前記インターフェイス制御信号を復号し、
前記マイクロプロセッサーユニットは、前記無線受信ユニットと接続し,前記マイクロプロセッサーユニットは前記慣性センサー信号および前記インターフェイス制御信号に対して演算処理を実行し、電子装置に伝送し、
前記第二インターフェイス制御ユニットは、マイクロプロセッサーユニットと接続し前記マイクロプロセッサーユニットが演算処理した結果を受信し、前記電子装置に伝送することを特徴とする請求項６記載の無線慣性入力装置。
【請求項１１】
前記無線受信ユニットは更に、高周波受信器および復号制御ユニットを含んでなり、
前記高周波受信機は高周波アンテナと接続し、
前記復号制御ユニットは前記高周波受信器と接続し、前記復号制御ユニットは前記高周波受信器が受信する前記無線信号を受信し、複合化を実行することを特徴とする請求項１０記載の無線慣性入力装置。
【発明の詳細な説明】
【技術分野】
【０００１】
本発明は、電子装置へのマウス、リモコンまたはインジケーター等の無線慣性入力装置に関し、特に、信号センサーおよび信号演算処理を分離し、ならびに無線伝送技術を通して信号センサーおよび信号演算処理のブリッジとし、無線慣性入力装置の電力消耗を減少する低電力消耗率演算処理構造の無線慣性入力装置に関する。
【背景技術】
【０００２】
科学技術の発展に従い、パソコン等の電子装置の応用は日増しに広がり、パソコンのデータ転送装置の発展はパソコン関連の分野において重要な地位を有し、現在の主なパソコン入力装置は無線光学マウスであり、大部分の無線光学マウスは工学センサーモジュール、マイクロプロセッサー、無線伝送モジュールおよび電源モジュール等のユニットを含んでいる。
【０００３】
現在最も常用される無線マウスは、例えば、図１に示すアメリカ合衆国特許U.S.PAT.No.6,664,948(特許文献１)が開示する無線光学マウスであり、それは、光学マウス底部のLEDを通して、マウスを置く表面に照射し、マウスが移動する時、マウス内部の透過レンズは反射し戻ってきた光線を受けてイメージセンサー１０に感光し、アナログ/デジタル変換器１１を通して信号変換を実行する。ポインタの移動を円滑にするため、前記イメージセンサー１０は毎秒数千枚の画像を維持する必要があり（毎秒百万画素のスキャン速度）、イメージの読み取り速度は2300fps(frame per second）に達する。その後、画像比較を実行すると共に、信号処理回路１２により演算および暗号の処理を実行し、計算した後に得られる変位量の信号（Δｘ,Δｙ）１３を通して、更に信号をパソコン１４に送り、パソコンのポインタ移動制御の目的を達成する。しかし、この技術のイメージ処理演算方法は複雑で、従ってその電力消耗は４１mmアンペアにも達する。
【０００４】
この他、図２は中華民国特許TW0519263(特許文献２)が開示する慣性指向装置の信号処理を示す図である。前記慣性指向装置２はｘ軸加速度計２０およびｙ軸加速度計２１によりｘ軸、ｙ軸の加速度を測定する。その後マイクロプロセッサー２２を通して信号処理を実行し、ユーザーの動作を判断し、例えば、ゆっくりとした移動、停止あるいはポジションの調整中であり、前記マイクロプロセッサー２２は低電力消耗率のデータ処理ユニットである。その後ｘ，ｙ軸の加速度計２０，２１の信号をパソコンの受信するデジタル信号に変換し、更に発射ユニット２３によりデータを受信ユニット２４に通してパソコン２５に転送しポインタの状態を表示する。この技術において、前記マイクロプロセッサー２２は絶え間なく加速度計が採取する信号に対して演算を実行し、従って電力消耗量は約２０mmアンペアになる。図２が開示する技術は図１の光学マウスに比較して消費電力を削減するが、マイクロプロセッサー２２が絶え間なく加速度信号を処理し、従って大幅な省電力の効果を達成することが困難である。
【０００５】
上述のように、公知の技術は先ず信号処理を完了した後にパソコンに転送しているため、ポインティング装置本体の電力消耗を増加させる。従って、低電力消耗率演算処理構造の無線慣性入力装置により公知の技術の電力消耗が大きいという問題を解決する必要がある。
【特許文献１】(米国特許)ＵＳＰ６，６６４，９４８
【特許文献２】中華民国特許ＴＷ０５１９２６３
【発明の開示】
【発明が解決しようとする課題】
【０００６】
本発明は、無線慣性入力装置の信号センサーおよび信号演算処理を分離し、無線通信により信号伝送を実行し、無線伝送効率の増加および電力消耗率の低減を達成する低消耗率演算処理構造の無線慣性入力装置を提供することを目的とする。
【課題を解決するための手段】
【０００７】
上述の目的を達成する為、本発明の「低電力消耗率演算処理構造を有する無線慣性入力装置」は、慣性センサー部により慣性センサー信号を発信し、その後演算処理部により反応信号を発信し電子装置を運用する。前記無線慣性入力装置の特徴は、前記慣性センサー部は前記無線慣性入力装置上に設置すると共に無線通信の方式により前記演算処理部と通信を実行し、および、前記演算処理部は前記電子装置を電気的に接続すると共に前記慣性センサー部と分離する。
【０００８】
上述の目的を達成する為、本発明の「低電力消耗率演算処理構造を有する無線慣性入力装置」は、更に、慣性センサー部を含んでなり、該慣性センサー部は慣性センサーユニットおよび高周波伝送制御ユニットを有し、該慣性センサーユニットは前記無線慣性入力装置の運動状態をセンサーし、慣性センサー信号を発信してなり、前記高周波伝送制御ユニットは前記インターフェイス制御ユニットおよび前記慣性センサーユニットと電気信号的接続をなし、前記高周波伝送制御ユニットは前記慣性センサー信号および前記インターフェイス制御信号を受信し無線信号を発信することができる。
【０００９】
前記無線慣性入力装置は、更にインターフェイス制御ユニットを含んでなり、前記インターフェイス制御ユニットはユーザーが操作する前記無線慣性入力装置の動作を受信して無線信号を発信することができる。前記無線信号は更にインターフェイス制御信号を含んでなることが好ましい。
【００１０】
前記慣性センサー部は更に信号キャッシュ領域を含んでなり、前記信号キャッシュ領域は前記高周波伝送制御ユニットと接続し、前記慣性センサー信号と前記インターフェイス信号の保存を提供できることが好ましい。また、前記高周波伝送制御ユニットは更に高周波伝送器および暗号制御ユニットを含んでなり、前記暗号制御ユニットは前記高周波伝送器と接続し、前記慣性センサー信号と前記インターフェイス制御信号を受信でき、暗号化を実行しならびに前記高周波伝送器を制御し無線伝送を実行できることが好ましい。
【００１１】
前記慣性センサーユニットは更に慣性センサー器を含んでなり、前記慣性センサーユニットは単軸加速度計、多軸加速度計およびジャイロスコープのいずれか１つであることが好ましい。また、前記無線信号はblue tooth信号、ＵＷＢ（Ultra-wide  band）信号、Ｗｉ−Ｆｉ（Wireless  Fidelity）信号およびZigbee伝送信号のいずれか１つであることが好ましい。更に、前記無線慣性入力装置は、マウス、リモコンまたはインジケーターであることが好ましい。また、前記演算処理部はＵＳＢインターフェイスと前記電子装置を接続できることが好ましい。
【００１２】
上述の目的を達成する為、本発明の「無線慣性入力装置」は、慣性センサー部を有し、該慣性センサー部は、慣性センサーユニット、第一インターフェイス制御ユニット、高周波伝送制御ユニットおよび演算処理部を含み、該慣性センサーユニットは前記無線慣性入力装置の運動状態をセンサーし、慣性センサー信号を発信し、前記第一インターフェイス制御ユニットはユーザーが操作する前記無線慣性入力装置の動作を受信しインターフェイス制御信号を発信し、前記高周波伝送制御ユニットは、前記第一インターフェイス制御ユニットおよび前記慣性センサーユニットと電気信号的に接続し、前記高周波伝送制御ユニットは前記慣性センサー信号と前記インターフェイス制御信号を受信し無線信号を発信でき、前記演算処理部は、電子装置と電気信号的に接続すると共に前記無線信号を受信し復号演算を実行し、反応信号を発信し前記電子装置を運用する。
【００１３】
前記演算処理部は、更に、無線受信ユニット、マイクロプロセッサーおよび第二インターフェイス制御ユニットを有することが好ましく、前記無線受信ユニットは前記無線信号を受信し、前記慣性センサー信号および前記インターフェイス制御信号を復号し、前記マイクロプロセッサーは前記無線受信ユニットを接続し、前記マイクロプロセッサーは前記慣性センサー信号および前記インターフェイス制御信号に対し演算処理を実行し、電子装置側に伝送し、前記第二インターフェイス制御ユニットは前記マイクロプロセッサーと接続し前記マイクロプロセッサーが演算処理した結果を受信し、前記電子装置に伝送する。前記無線受信ユニットは更に、高周波受信器および復号制御ユニットを含んでなり、前記高周波受信器と接続し、前記復号制御ユニットは前記高周波受信器が受信する前記無線信号を受信し、復号を実行する。
【００１４】
すなわち、請求項１の発明は、慣性センサー部を有し、前記慣性センサー部は、慣性センサーユニットおよび高周波伝送制御ユニットを含み、前記慣性センサーユニットは慣性センサー入力装置の運動状態をセンサーし慣性センサー信号を発信し、前記高周波伝送制御ユニットは前記慣性センサーユニットと電気信号的に接続し、前記高周波伝送制御ユニットは前記慣性センサー信号を受信し無線信号を発信することを特徴とする無線慣性入力装置である。
請求項２の発明は、前記高周波伝送制御ユニットは更に、高周波伝送器および暗号制御ユニットを含んでなり、前記高周波伝送器は高周波アンテナを接続してなり、
前記暗号制御ユニットは、前記伝送器と接続し、前記暗号制御ユニットは前記慣性センサー信号を受信し、暗号化を実行し前記高周波伝送器を制御し無線伝送を実行することを特徴とする請求項１記載の無線慣性入力装置である。
請求項３の発明は、前記慣性センサーユニットは更に、少なくとも１つの慣性センサー器を含んでなることを特徴とする請求項１記載の無線慣性入力装置である。
請求項４の発明は、前記慣性センサー器は単軸加速度計、多軸加速度計およびジャイロスコープのいずれか１つであることができることを特徴とする請求項３記載の無線慣性入力装置である。
【００１５】
請求項５の発明は、慣性計測部により慣性センサー信号を発生し、演算処理部により演算処理を実行し反応信号を発生し電子装置を運用させ、前記慣性センサー部は無線慣性入力装置上に設置し無線通信の方式により前記演算処理部と通信を実行し、前記演算処理部は前記電子装置と電気的連接を形成し前記慣性センサー部と分離することを特徴とする無線慣性入力装置である。
【００１６】
請求項６の発明は、慣性センサー部を有し、該慣性センサー部は、慣性センサーユニット、第一インターフェイス制御ユニット、高周波伝送制御ユニットおよび演算処理部を含み、前記慣性センサーユニットは前記無線慣性入力装置の運動状態をセンサーし、慣性センサー信号を発信し、前記第一インターフェイス制御ユニットはユーザーが前記無線慣性入力装置を操作する動作を受信しインターフェイス制御信号を発信し、前記高周波伝送制御ユニットは、前記第一インターフェイス制御ユニットおよび前記慣性センサーユニットと電気的に接続し、前記高周波伝送制御ユニットは前記慣性センサー信号および前記インターフェイス制御信号を受信し無線信号を発信し、前記演算処理部は電子装置を電気信号的に接続すると共に前記無線信号を受信し復号化を実行し、反応信号を発信し前記電子装置を運用することができることを特徴とする無線慣性入力装置である。
【００１７】
請求項７の発明は、前記高周波伝送制御ユニットは更に、高周波伝送器および暗号制御ユニットを含んでなり、前記高周波伝送器は高周波アンテナを接続してなり、前記暗号制御ユニットは前記高周波伝送器と接続し、前記暗号制御ユニットは前記慣性センサー信号を受信し、暗号化を実行し前記高周波伝送器を制御し無線伝送を実行することを特徴とする請求項６記載の無線慣性入力装置である。
請求項８の発明は、前記慣性センサーユニットは更に慣性センサー器を含んでなることを特徴とする請求項６記載の無線慣性入力装置である。
請求項９の発明は、前記慣性センサー器は単軸加速度計、多軸加速度計およびジャイロスコープのいずれか１つであることができることを特徴とする請求項８記載の無線慣性入力装置である。
請求項１０の発明は、前記演算処理部は更に、無線受信ユニット、マイクロプロセッサーユニットおよび第二インターフェイス制御ユニットを有し、前記無線受信ユニットは前記無線信号を受信し、前記慣性センサー信号および前記インターフェイス制御信号を復号し、前記マイクロプロセッサーユニットは、前記無線受信ユニットと接続し,前記マイクロプロセッサーユニットは前記慣性センサー信号および前記インターフェイス制御信号に対して演算処理を実行し、電子装置に伝送し、前記第二インターフェイス制御ユニットは、マイクロプロセッサーユニットと接続し前記マイクロプロセッサーユニットが演算処理した結果を受信し、前記電子装置に伝送することを特徴とする請求項６記載の無線慣性入力装置である。
請求項１１の発明は、前記無線受信ユニットは更に、高周波受信器および復号制御ユニットを含んでなり、前記高周波受信機は高周波アンテナと接続し、前記復号制御ユニットは前記高周波受信器と接続し、前記復号制御ユニットは前記高周波受信器が受信する前記無線信号を受信し、複合化を実行することを特徴とする請求項１０記載の無線慣性入力装置である。
【発明の効果】
【００１８】
上述のように、本発明が提供する低電力消耗率演算処理構造を有するマウス、リモコンまたはインジケーター等の無線慣性入力装置は、ポインタの移動状態を演算する演算処理部の電源として電子装置側の電源を使用することにより、無線慣性入力装置の電力消耗を低減し、無線慣性入力装置内の電池の寿命を延長することができる。
【発明を実施するための最良の形態】
【００１９】
本発明の特徴、目的および効能に対して更に認知と理解を深めるため、下記は本発明の系統の細部構造および設計理念を詳細に説明する。
図３は、本発明の実施例のパソコンの所謂無線マウス等の入力装置であって、低電力消耗率演算処理構造を有する無線慣性入力装置の構造を示す図である。
本発明の実施例は、無線慣性入力装置３を提供し、前記無線慣性入力装置３は慣性センサー部３０により慣性センサー信号を発生し、その後、ポインタのＸ,Ｙ位置の移動状態等を演算する演算処理部３１により演算処理を実行し反応信号を発生し電子装置３２を運用し、前記無線慣性入力装置３の特徴は、以下のようである：前記慣性センサー部３０は前記無線慣性入力装置３に設置すると共に無線通信の方式により前記演算処理部３１と通信を実行する；前記演算処理部３１は前記電子装置３２と電気的連接を形成すると共に前記無線慣性入力装置３と分離する。前記演算処理部３１が必要とする電力は、前記電子装置３２により提供される。
【００２０】
前記慣性センサー部３０は慣性センサー信号をセンサーでき、例えば、加速度信号であり、暗号化を通して高周波無線信号をポインタの移動状態を演算する前記演算処理部３１に伝送する。暗号化の目的は受信端末が加速度信号を受信した後、慣性センサー信号の特徴を分別でき、例えば、ｘ軸加速度信号、ｙ軸加速度信号または回転数信号等である。前記演算処理部３１は信号を受信した後、復号化を実行し、演算方法に従い前記慣性センサー信号を計算し電子装置３２が受信可能な信号に変換し、例えば、ＵＳＢ制御器が必要とするデジタル信号であり、最後は前記電子装置３２に結果を出力する。例えば、前記無線慣性入力装置はマウスであり、前記電子装置はパソコンであり、本発明の実施例の方式を通して、パソコンはポインタの移動状態を表示可能である。前記電子装置３２は、パソコン、固定式および移動式のホストコンピュータであることができ、例えば、サウンドプレーヤーまたはマルチメディア処理器である。前記無線慣性入力装置３はマウス、リモコン、インジケーター等であることができるが、但しこれに限定するものではない。
【００２１】
図４は本発明の低電力消耗率演算処理構造を有する無線慣性入力装置の慣性センサー部の好適な実施例を示す図である。前記慣性センサー部３０は前記無線入力装置内に設置し、センサー信号およびユーザー操作を受信する信号のブリッジを提供する。前記慣性センサー部は、電源供給器３０１、慣性センサーユニット３０２、信号一時キャッシュ３０３、インターフェイス制御ユニット３０５および高周波伝送制御ユニット３０４を含む。
【００２２】
前記電源供給器３０１は前記慣性センサーユニット３０２、前記信号一時キャッシュ３０３、前記インターフェイス制御ユニット３０５および前記高周波伝送制御ユニット３０４に電力を供給する。前記電源供給器３０１は電源３０１１および電圧安定器３０１２より構成される。前記慣性センサーユニット３０２は少なくとも１つの慣性センサー器により構成され、自由度、平面、空間および回転数をセンサーし慣性センサー信号を出力する。前記慣性センサー器の数量は必要に応じて決定することができる。前記慣性センサー器は単軸加速度計、多軸加速度計およびジャイロスコープのいずれか１つであることができるが、これに限定するものではない。
【００２３】
前記インターフェイス制御ユニット３０５はユーザーインターフェイス３０６が伝送する信号を受信しインターフェイス制御信号を出力でき、例えば、前記無線慣性入力装置はマウスであり、ユーザーインターフェイスはマウス上のボタンまたはローラーである。ユーザーがボタンを押すまたはローラーを転がす時、前記インターフェイス制御ユニット３０５は前記機械動作を受信し、インターフェイス制御信号を出力する。
【００２４】
慣性センサー部３０動作時の電力消耗率を低減するため、本発明の実施例は共通キャッシュを利用し、前記慣性センサーユニット３０２および前記インターフェイス制御ユニット３０５が共に前記信号一時キャッシュ３０３にアクセスし、前記インターフェイス制御信号および前記慣性センサー信号を信号一時キャッシュ３０３内に保存する。前記高周波伝送制御ユニット３０４は更に、暗号制御ユニット３０４１、高周波伝送器３０４２および高周波アンテナ３０４３を含んでなる。前記暗号制御ユニット３０４１は前記信号一時キャッシュ３０３に接続し、前記信号一時キャッシュ内に保存された前記インターフェイス制御信号および前記慣性センサー信号を読み込み暗号化を実行し、前記高周波伝送器３０４２により前記高周波アンテナ３０４３を通して伝送する。前記高周波アンテナ３０４３が発信する無線信号はblue tooth信号、ＵＷＢ（Ultra-wide  band）信号、Ｗｉ−Ｆｉ（Wireless  Fidelity）信号およびZigbee伝送信号のいずれか１つであることができる。前述の方式以外、前記インターフェイス制御ユニット３０５が出力するインターフェイス制御信号は、直接内部バスを通して、暗号制御ユニット３０４１に伝送し暗号化を実行することもでき、高周波伝送器３０４２を通して直列式信号により高周波アンテナ３０４３を用いて伝送する。
【００２５】
図５は本発明の実施例の低電力消耗率演算処理構造を有する無線慣性入力装置の演算処理部の好適な実施例を示す図である。図３の構造を利用して、本発明の実施例は電子装置３２と電気信号的に接続する演算処理部３１を提供し前記高周波アンテナが伝送する信号を受信する。前記演算処理部３１は高周波受信アンテナ３１１を有する高周波受信器３１２と接続し前記慣性センサー部３０が発信する無線信号を受信し、その後内部バスを経由し復号制御ユニット３１３に伝送し前記慣性センサー信号および前記インターフェイス制御信号を復号する。そしてマイクロプロセッサーユニット３１４により前記慣性センサー信号およびインターフェイス制御信号に対して演算処理を実行し動作信号を形成し、最後にインターフェイス制御ユニット３１５を通して前記動作信号を受信し前記電子装置３２に伝送する。前記電子装置３２は前記動作信号を受信した後、信号が要求する動作内容をディスプレイに出力し、例えば、画面上のポインタの移動である。前記演算処理部３１は前記電子装置３２の電源を使用することにより、前記無線慣性入力装置に対して電力消耗の大幅な低減ができる。本実施例において、前記演算処理部３１はＵＳＢインターフェイスにより前記電子装置３２に接続することができる。
【００２６】
本発明の実施例の無線慣性入力装置の慣性センサー部は、信号を演算処理する電源を提供する必要が無く、慣性センサー部は慣性センサーユニットがセンサーする信号（約１０ms/回）を読み取り無線伝送を通して発信し、更に慣性センサーユニットが使用する慣性センサー器はマイクロ電気機械製造方法により製造し、全体的には、演算処理部は前記電子装置と電気的に接続すると共に前記慣性センサー部と分離すること、すなわち、ポインタの移動状態を演算する演算処理部３１は電子装置３２側の電源を使用することにより、前記無線慣性入力装置の電力消耗は公知の技術に比較して大幅に減少する。
下記の表１に示すように、本発明の実施例の慣性センサーユニットの電力消耗は約０．６mmアンペアまで減少すると共に、マイクロプロセッサーユニットの電力消耗も１mmアンペアまで減少する。総合的には、本発明の無線慣性入力装置の電力消耗は約１５mmアンペアであり、前記無線慣性入力装置の使用時間は公知の無線入力装置と比較し数倍長く延長し、大幅な省電力ができるだけではなく、無線慣性入力装置の慣性センサー信号に対する処理効率を向上することが判る。
（表１）
2007164762.tif 000003
【００２７】
上述のように、本発明の低電力消耗率演算処理構造を有する所謂無線マウス等の無線慣性入力装置の実施例は、ポインタの移動状態を演算する演算処理部は電子装置側の電源を使用することにより、無線慣性入力装置の電力消耗を低減し、無線慣性入力装置内の電池の寿命を延長し、従って業界の要求を満たし、産業の競争力を向上する。
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２８】
【図１】公知の技術の光学マウス信号処理を示す図である。
【図２】公知の技術の慣性指向装置における信号処理を示す図である。
【図３】本発明の低電力消耗率演算処理構造を有する無線慣性入力装置の構造を示す図である。
【図４】本発明の低電力消耗率演算処理構造を有する無線慣性入力装置の慣性センサー部の好適な実施例を示す図である。
【図５】本発明の低電力消耗率演算処理構造を有する無線慣性入力装置の演算処理部の好適な実施例を示す図である。
【符号の説明】
【００２９】
１ 光学マウス
１０ イメージセンサー
１１ アナログ/デジタル変換器
１２ 信号処理回路
１３ 変位信号
１４ パソコン
２ 慣性指向装置
２０ ｘ軸加速度計
２１ ｙ軸加速度計
２２ マイクロプロセッサー
２３ 発射ユニット
２４ 受信ユニット
２５ パソコン
３ 無線慣性入力装置
３０ 慣性センサー部
３０１ 電源供給器
３０１１ 電源
３０１２ 圧力安定器
３０２ 慣性センサーユニット
３０３ 信号一時キャッシュ
３０４ 高周波伝送制御ユニット
３０４１ 暗号制御ユニット
３０４２ 高周波伝送器
３０４３ 高周波アンテナ
３０５ インターフェイス制御ユニット
３０６ ユーザーインターフェイス
３１ 演算処理部
３１１ 受信アンテナ
３１２ 高周波受信機
３１３ 復号制御ユニット
３１４ マイクロプロセッサーユニット
３１５ インターフェイス制御ユニット
３２ 電子装置
３１１ 受信アンテナ
３１２ 高周波受信機
３１３ 復号制御ユニット
３１４ マイクロプロセッサーユニット
３１５ インターフェイス制御ユニット
【図１】
2007164762.tif 000004
【図２】
2007164762.tif 000005
【図３】
2007164762.tif 000006
【図４】
2007164762.tif 000007
【図５】
2007164762.tif 000008